(57)【要約】【課題】複数種別の照明システムに対応すること。【解決手段】実施形態の照明装置は、照明部と、受信部と、整流部と、制御部とを具備する。照明部は、任意の場所を照明する。受信部は、上位装置から送信された前記照明部に対する制御を指示する制御信号を受信する。整流部は、前記受信部が受信した制御信号に対して、正の極性で半波整流して第１の半波整流信号を出力するとともに、負の極性で半波整流して第２の半波整流信号を出力する。制御部は、前記第１の半波整流信号及び前記第２の半波整流信号のうち、特定の半波整流信号がパルスを有する場合には該特定の半波整流信号に基づいて、前記照明部を制御するとともに、前記特定の半波整流信号がパルスを有せず、かつ、該特定の半波整流信号とは異なる半波整流信号がパルスを有する場合には、該パルスを有する半波整流信号に基づいて、前記照明部を制御する。【選択図】図４
2015185379.tif 000002
【特許請求の範囲】
【請求項１】
照明部と；
上位装置から送信された前記照明部に対する制御を指示する制御信号を受信する受信部と；
前記受信部が受信した制御信号に対して、正の極性で半波整流して第１の半波整流信号を出力するとともに、負の極性で半波整流して第２の半波整流信号を出力する整流部と；
前記第１の半波整流信号及び前記第２の半波整流信号のうち、特定の半波整流信号がパルスを有する場合には該特定の半波整流信号に基づいて、前記照明部を制御するとともに、前記特定の半波整流信号がパルスを有せず、かつ、該特定の半波整流信号とは異なる半波整流信号がパルスを有する場合には、該パルスを有する半波整流信号に基づいて、前記照明部を制御する制御部と；
を具備することを特徴とする照明装置。
【請求項２】
前記上位装置から送信される待機制御信号及び前記制御信号の周波数に基づいて、複数の制御方式の中から、前記上位装置から送信された前記制御信号に対応する制御方式を特定する特定部を更に具備することを特徴とする請求項１に記載の照明装置。
【請求項３】
前記上位装置から送信される待機制御信号及び前記制御信号のパルスの周期に基づいて、複数の制御方式の中から、前記上位装置から送信された前記制御信号に対応する制御方式を特定する特定部を更に具備することを特徴とする請求項１に記載の照明装置。
【発明の詳細な説明】
【技術分野】
【０００１】
本発明の実施形態は、照明装置に関する。
【背景技術】
【０００２】
近年、複数の照明装置を個別に制御することを可能にする照明システムが知られている。かかる照明システムは、消灯、点灯、照度の変更等の制御を指示する信号を制御信号として各照明装置に対して送信する上位装置と、上位装置から受信した制御信号に従ってＬＥＤ（Light  Emitting  Diode）を制御する電源装置を備えた照明装置とを有する。しかしながら、上位装置が各照明装置に対して送信する制御信号は、照明システムの種別ごとに異なる。ここで、従来の照明装置は、照明システムの特定の種別の制御信号に対応した電源装置を有する。このため、従来の照明装置は、同一機種で複数種別の照明器具制御システムに対応することができない。
【先行技術文献】
【非特許文献】
【０００３】
【非特許文献１】“照明器具個別制御システム  T/Flecs（ティーフレックス）  |  照明制御・航空障害灯  |  商品紹介  |  東芝ライテック(株)”、［online］、［平成２６年３月７日検索］、インターネット＜http://www.tlt.co.jp/tlt/products/system/t_flecs.htm＞
【発明の概要】
【発明が解決しようとする課題】
【０００４】
本発明が解決しようとする課題は、複数種別の照明システムに対応する照明装置を提供することを目的とする。
【課題を解決するための手段】
【０００５】
実施形態の照明装置は、照明部と、受信部と、整流部と、制御部とを具備する。照明部は、任意の場所を照明する。受信部は、上位装置から送信された前記照明部に対する制御を指示する制御信号を受信する。整流部は、前記受信部が受信した制御信号に対して、正の極性で半波整流して第１の半波整流信号を出力するとともに、負の極性で半波整流して第２の半波整流信号を出力する。制御部は、前記第１の半波整流信号及び前記第２の半波整流信号のうち、特定の半波整流信号がパルスを有する場合には該特定の半波整流信号に基づいて、前記照明部を制御するとともに、前記特定の半波整流信号がパルスを有せず、かつ、該特定の半波整流信号とは異なる半波整流信号がパルスを有する場合には、該パルスを有する半波整流信号に基づいて、前記照明部を制御する。
【発明の効果】
【０００６】
実施形態の照明装置によれば、複数種別の照明システムに対応することができるという効果が期待できる。
【図面の簡単な説明】
【０００７】
【図１】図１は、第１の実施形態に係る照明システムの構成例を示す図である。
【図２】図２は、第１の実施形態に係る照明装置の構成例を説明する図である。
【図３】図３は、制御信号の種別を説明する図である。
【図４】図４は、実施形態に係るインターフェース回路の構成例を説明する図である。
【図５】図５は、インターフェース回路に、電圧が正負両極の範囲で変化する複極信号が制御信号として入力された場合のインターフェース回路の動作を示すタイミングチャートである。
【図６】図６は、インターフェース回路に、電圧が正の範囲で変化する単極信号が制御信号として入力された場合のインターフェース回路の動作を示すタイミングチャートである。
【図７】図７は、インターフェース回路に、電圧が負の範囲で変化する単極信号が制御信号として入力された場合のインターフェース回路の動作を示すタイミングチャートである。
【図８】図８は、第１の実施形態に係るマイコンが有する機能構成を説明する図である。
【図９】図９は、第１の実施形態に係る照明装置が実行する処理の手順を示すフローチャートである。
【図１０】図１０は、第１の実施形態の変形例について説明するための図である。
【発明を実施するための形態】
【０００８】
以下、図面を参照して、実施形態に係る照明システム１および照明装置５を説明する。実施形態において同一の部位には同一の符号を付し、重複する説明は省略される。
【０００９】
（第１の実施形態）
まず、図１〜図９を用いて、第１の実施形態に係る照明システムについて説明する。
【００１０】
［照明システムの構成］
図１は、第１の実施形態に係る照明システムの構成例を示す図である。図１に示した照明システム１は、宅内やオフィス等に設置された照明装置の制御や監視を実現するシステムである。例えば、照明システム１は、照明装置の設置された環境の情報をセンサ等で取得し、取得した情報に基づいて、照明装置の制御を行う場合がある。
【００１１】
図１に示した照明システム１は、上位装置２と複数の通信部３、４が接続される。また、通信部３は、複数の照明装置５〜７と接続される。また、通信部４は、照明装置８と接続される。また、照明装置５は、ＬＥＤ９と電源制御部１０とを有する。ＬＥＤ９は、任意の場所を照明する。ＬＥＤ９は、照明部の一例である。電源制御部１０は、ＬＥＤ９の制御を行う。また、照明装置６〜８は、照明装置５と同様の機能を発揮するものとして、以下の説明を省略する。また、図１に示す照明システム１が有する通信部３，４、照明装置５〜８の数は、一例に過ぎず、照明システム１の構成に応じて適宜変更可能である。
【００１２】
上位装置２は、通信部３、通信部４に対し、照明器具の制御を指示する制御信号を出力する。例えば、上位装置２は、通信部３に対し、照明装置５が有するＬＥＤ９の点灯、消灯、照度の変更、光の色の変更等、任意の制御を指示する制御信号を出力する。また、上位装置２は、照明器具の制御を行うために、任意の種別の制御方式を利用することができる。例えば、上位装置２は、照明器具を制御するために、ＤＡＬＩ（Digital  Addressable  Lighting  Interface）、ＰＷＭ（Pulse  Width  Modulation）等、様々な制御方式に対応する制御信号を出力する。
【００１３】
ここで、上位装置２は、制御方式ごとに異なる制御信号を出力する。例えば、上位装置２は、制御方式の種別に応じて、電圧の立上りや立下りの位置で制御内容を示す制御信号、一定の周期でパルスを分割した際に、立下りが存在するか立上りが存在するかで制御内容を示す制御信号、パルス幅の変調で制御内容を示す制御信号等を出力する。また、上位装置２は、制御方式の種別に応じて、電圧が正負両極の範囲で変化する制御信号や、電圧が正又は負の片方の範囲で変化する制御信号を出力する。
【００１４】
例えば、上位装置２は、電圧が正負両極の範囲で変化する複極信号であって、電圧の立上りや立下りの位置で制御内容を示す所定の制御方式に基づく制御信号を出力する。また、上位装置２は、ＤＡＬＩの制御信号を出力する場合は、電圧が正又は負の片方の範囲で変化する単極信号であって、一定の周期でパルスを分割した際に、立下りが存在するか立上りが存在するかで制御内容を示す制御信号を出力する。また、上位装置２は、ＰＷＭを用いた制御信号を出力する場合は、単極信号であって、パルス幅の変調で制御内容を示す制御信号を出力する。
【００１５】
ここで、上位装置２が出力する制御信号の周波数で制御方式を判別できたら便利である。しかしながら、所定の制御方式における制御信号の周波数が３．３ｋＨｚ以上１０ｋＨｚ以下程度の場合には、ＰＷＭの制御方式における制御信号の周波数は、１００Ｈｚ以上１ｋＨｚ以下程度であり、ＤＡＬＩの制御方式における制御信号の周波数は、１．２ｋＨｚ以上２．４ｋＨｚ未満である。そのため、ＤＡＬＩとそれ以外の制御方式とでは周波数で判別可能だが、所定の制御方式とＰＷＭとでは、周波数で判別することは困難である。そこで、上位装置２は、所定の制御方式において、照明装置５に対してそのままの状態を維持させるための待機制御信号を出力する場合があり、この待機制御信号の周波数を２．４ｋＨｚ以上または１００Ｈｚ未満（もしくは１００Ｈｚ以下）とする。そのため、所定の制御方式については待機制御信号、ＰＷＭ及びＤＡＬＩについては制御信号の周波数を判別することにより、制御方式が、所定の制御方式、ＰＷＭ及びＤＡＬＩのいずれであるのかの判別を行うことが可能となる。
【００１６】
通信部３は、上位装置２と各照明装置５〜７との通信を中継する中継装置である。例えば、通信部３は、上位装置２から、ＬＥＤ９に対する制御内容を示す制御信号を受信すると、受信した制御信号を、ＬＥＤ９を有する照明装置５に出力する。また、通信部３は、照明装置５から、制御信号が示す制御内容に基づいたＬＥＤ９の制御を完了したことに対する応答を示す応答信号や、ＬＥＤ９の状態を示す通知信号を受信した場合は、受信した応答信号や通知信号を上位装置２へ送信する。この結果、上位装置２は、ＬＥＤ９の制御が完了した旨や、ＬＥＤ９の調光状態を把握することができる。通信部４は、通信部３と同様の機能を発揮するものとして、説明を省略する。
【００１７】
照明装置５は、例えば、宅内やオフィス等に設置された照明装置である。照明装置５は、ＬＥＤ９と電源制御部１０とを有する。ＬＥＤ９は、交換可能な照明である。電源制御部１０は、ＬＥＤ９の制御を行う。また、照明装置５は、従来の照明装置と同様に、照明システム１の設置や更新を行う際に、設置や交換を行う単位となる。
【００１８】
［電源制御部１０の構成］
以下、図２を用いて、電源制御部１０の構成例を説明する。図２は、第１の実施形態に係る照明装置の構成例を説明する図である。図２に示すように、電源制御部１０は、電源回路１１、インターフェース回路１２、マイコン１３、制御回路１４を有する。また、電源回路１１には、ＬＥＤ９に供給される電力の電源が接続されている。
【００１９】
［電源回路１１］
電源回路１１は、制御回路１４による制御に応じて、ＬＥＤ９に対して供給する電力を変更する回路である。例えば、電源回路１１は、電源から電力の供給を受ける。そして、電源回路１１は、制御回路１４からの制御信号を受信すると、受信した制御信号に従って、電源から供給された電力をＬＥＤ９に供給する量の制御等を行うことで、ＬＥＤ９の点灯、消灯、照度の変更、光の色の変更等を行う。
【００２０】
［インターフェース回路１２］
インターフェース回路１２は、上位装置２が複極信号を出力するのか単極信号を出力するのか解らない。図３を用いて、上位装置２が出力する制御信号の例について説明する。図３は、制御信号の種別を説明する図である。なお、図３には、上位装置２が出力する可能性がある制御信号の例を複数記載した。
【００２１】
例えば、上位装置２は、図３中（Ａ）に示すように、電圧が正負両極の範囲で変化する複極信号を制御信号として出力する場合がある。また、上位装置２は、図３中（Ｂ）に示すように、電圧が正の範囲で変化する単極信号、または、図３中（Ｃ）に示すように、電圧が負の範囲で変化する単極信号を制御信号として出力する場合がある。ここで、インターフェース回路１２は、マイコン１３が、どのような制御信号であっても、制御内容を識別できるようにするため、以下の処理を行う。すなわち、インターフェース回路１２は、制御信号を正極側に半波整流した整流信号である第１の半波整流信号、及び、制御信号を負極側に半波整流した整流信号である第２の半波整流信号を生成する。そして、インターフェース回路１２は、第１の半波整流信号及び第２の半波整流信号のうち、特定の半波整流信号がパルスを有する場合には特定の半波整流信号をマイコン１３に出力する。また、インターフェース回路１２は、第１の半波整流信号及び第２の半波整流信号のうち、特定の半波整流信号がパルスを有せず、かつ、特定の半波整流信号とは異なる半波整流信号がパルスを有する場合には、このパルスを有する半波整流信号をマイコン１３に出力する。
【００２２】
このように、インターフェース回路１２は、パルスを有する半波整流信号をマイコン１３に出力する。これにより、複極信号または単極信号が制御信号として入力された場合であっても、インターフェース回路１２は、マイコン１３において制御内容を識別することができる半波整流信号をマイコン１３に出力することができる。また、マイコン１３は、処理する半波整流信号が１系統ですむ。
【００２３】
次に、図４を用いて、インターフェース回路１２の構成例を説明する。図４は、実施形態に係るインターフェース回路１２の構成例を説明する図である。図４に示す例では、インターフェース回路１２は、整流部１５と、積分回路３０ａと、インバータ３０ｂと、ＡＮＤ回路３０ｃと、ＯＲ回路３０ｄとを有する。
【００２４】
整流部１５は、２つの信号線から制御信号を入力し、一方の信号線から入力された制御信号と負極側の出力とを合せて出力するとともに、他方の信号線から入力された制御信号と負極側の出力とを合せて出力する。ここで、例えば、一方の信号線からの制御信号の入力を入力＃１とし、他方の信号線からの制御信号の入力を入力＃２とし、入力＃１と負極側の出力とを合せた出力を出力＃１とし、入力＃２と負極側の出力とを合せた出力を出力＃２とする。すなわち、整流部１５は、制御信号に対して、正の極性で半波整流した第１の半波整流信号を出力するとともに、負の極性で半波整流した第２の半波整流信号を出力する。また、整流部１５は、例えば、ブリッジ型に接続したダイオードやトランスを備える回路によって実現される整流回路であり、ダイオードの記号とダイオードの記号を囲むひし形の図形で記載した。なお、第１の半波整流信号は、出力＃１に対応し、第２の半波整流信号は、出力＃２に対応する。
【００２５】
出力＃１は、ＯＲ回路３０ｄに入力される。また、出力＃１は、積分回路３０ａに入力される。また、出力＃２は、ＡＮＤ回路３０ｃに入力される。
【００２６】
積分回路３０ａは、入力電圧の波形の時間積分に等しい波形の電圧を出力する回路である。積分回路３０ａの出力端子は、インバータ３０ｂの入力端子に接続されている。例えば、積分回路３０ａは、出力＃１の電圧波形の時間積分に等しい波形の電圧の信号をインバータ３０ｂに出力する。
【００２７】
インバータ３０ｂは、入力電圧の論理レベルを逆転させて出力する。インバータ３０ｂの出力端子は、ＡＮＤ回路３０ｃの２つの入力端子のうち一方の入力端子に接続される。例えば、インバータ３０ｂは、積分回路３０ａから出力された電圧の信号の論理レベルを逆転させてＡＮＤ回路３０ｃに出力する。
【００２８】
ＡＮＤ回路３０ｃは、２つの入力電圧の論理レベルが「１（Ｈ）」である場合に、論理レベル「１」の電圧の信号を出力する。また、ＡＮＤ回路３０ｃは、２つの入力電圧の論理レベルのうち少なくとも一方の入力電圧の論理レベルが「０（Ｌ）」である場合に、論理レベル「０」の電圧の信号を出力する。ＡＮＤ回路３０ｃの出力端子は、ＯＲ回路３０ｄの２つの入力端子のうち一方の入力端子に接続されている。例えば、ＡＮＤ回路３０ｃは、出力＃２の論理レベルとインバータ３０ｂからの入力電圧の論理レベルとが「１」である場合に、論理レベル「１」の電圧の信号をＯＲ回路３０ｄに出力する。また、ＡＮＤ回路３０ｃは、出力＃２の論理レベル及びインバータ３０ｂからの入力電圧の論理レベルのうち少なくとも一方の論理レベルが「０」である場合に、論理レベル「０」の電圧の信号をＯＲ回路３０ｄに出力する。
【００２９】
ＯＲ回路３０ｄは、２つの入力電圧の論理レベルが「０」である場合に、論理レベル「０」の電圧の信号を出力する。また、ＯＲ回路３０ｄは、２つの入力電圧の論理レベルのうち少なくとも一方の入力電圧の論理レベルが「１」である場合に、論理レベル「１」の電圧の信号を出力する。ＯＲ回路３０ｄの出力端子は、マイコン１３に接続されている。例えば、ＯＲ回路３０ｄは、出力＃１の論理レベルとＡＮＤ回路３０ｃからの入力電圧の論理レベルとが「０」である場合に、論理レベル「０」の電圧の信号をマイコン１３に出力する。また、ＯＲ回路３０ｄは、出力＃１の論理レベル及びＡＮＤ回路３０ｃからの入力電圧の論理レベルのうち少なくとも一方の論理レベルが「１」である場合に、論理レベル「１」の電圧の信号をマイコン１３に出力する。
【００３０】
ここで、インターフェース回路１２に、電圧が正負両極の範囲で変化する複極信号が制御信号として入力された場合、電圧が正の範囲で変化する単極信号が制御信号として入力された場合、及び、電圧が負の範囲で変化する単極信号が制御信号として入力された場合のそれぞれの場合のインターフェース回路１２の動作について図５〜７を用いて説明する。
【００３１】
図５は、インターフェース回路１２に、電圧が正負両極の範囲で変化する複極信号が制御信号として入力された場合のインターフェース回路１２の動作を示すタイミングチャートである。図５において、「入力」は、入力された制御信号を示す。「出力＃１」は、出力＃１の信号を示す。「積分出力」は、インバータ３０ｂが出力する信号を示す。「出力＃２」は、出力＃２の信号を示す。「ＡＮＤ出力」は、ＡＮＤ回路３０ｃが出力する信号を示す。「合成出力」は、ＯＲ回路３０ｄが出力する信号を示す。なお、後述の図６、図７においても同様である。
【００３２】
図５に示すように、複極信号が制御信号として入力されると、制御信号に対して、正の極性で半波整流した第１の半波整流信号（出力＃１）がＯＲ回路３０ｄ及び積分回路３０ａに入力され、積分回路３０ａが出力する信号の論理レベルが「１」となる結果、インバータ３０ｂがＡＮＤ回路３０ｃに出力する信号の論理レベルが「０」（積分出力）となる。また、制御信号に対して、負の極性で半波整流した第２の半波整流信号（出力＃２）がＡＮＤ回路３０ｃに入力される。ＡＮＤ回路３０ｃは、インバータ３０ｂから論理レベルが「０」の信号が入力されているので、論理レベルが「０」の信号をＯＲ回路３０ｄに入力する。よって、ＯＲ回路３０ｄは、ＡＮＤ回路３０ｃから論理レベルが「０」の信号が入力されているので、第１の半波整流信号をそのままマイコン１３に出力する（合成出力）。したがって、インターフェース回路１２は、上位装置２が複極信号を制御信号として送信した場合であっても、マイコン１３において制御内容を識別可能な制御信号をマイコン１３に出力することができる。
【００３３】
図６は、インターフェース回路１２に、電圧が正の範囲で変化する単極信号が制御信号として入力された場合のインターフェース回路１２の動作を示すタイミングチャートである。図６に示すように、電圧が正の範囲で変化する単極信号が制御信号として入力されると、制御信号に対して、正の極性で半波整流した第１の半波整流信号（出力＃１）がＯＲ回路３０ｄ及び積分回路３０ａに入力され、積分回路３０ａの論理レベルが「１」となる結果、インバータ３０ｂがＡＮＤ回路３０ｃに出力する信号の論理レベルが「０」（積分出力）となる。また、制御信号に対して、負の極性で半波整流した第２の半波整流信号（出力＃２）がＡＮＤ回路３０ｃに入力される。ここで、出力＃２は、論理レベルが「０」の信号である。このように、ＡＮＤ回路３０ｃは、２つの入力端子から、論理レベルが「０」の信号が入力されているので、論理レベルが「０」の信号をＯＲ回路３０ｄに入力する。よって、ＯＲ回路３０ｄは、ＡＮＤ回路３０ｃから論理レベルが「０」の信号が入力されているので、第１の半波整流信号をそのままマイコン１３に出力する（合成出力）。したがって、インターフェース回路１２は、上位装置２が電圧が正の範囲で変化する単極信号を制御信号として送信した場合であっても、マイコン１３において制御内容を識別可能な制御信号をマイコン１３に出力することができる。
【００３４】
図７は、インターフェース回路１２に、電圧が負の範囲で変化する単極信号が制御信号として入力された場合のインターフェース回路１２の動作を示すタイミングチャートである。図７に示すように、電圧が負の範囲で変化する単極信号が制御信号として入力されると、制御信号に対して、正の極性で半波整流した第１の半波整流信号（出力＃１）がＯＲ回路３０ｄ及び積分回路３０ａに入力され、積分回路３０ａの論理レベルが「０」となる結果、インバータ３０ｂがＡＮＤ回路３０ｃに出力する信号の論理レベルが「１」（積分出力）となる。また、制御信号に対して、負の極性で半波整流した第２の半波整流信号（出力＃２）がＡＮＤ回路３０ｃに入力される。このように、ＡＮＤ回路３０ｃは、インバータ３０ｂから論理レベルが「１」の信号が入力されているので、第２の半波整流信号をＯＲ回路３０ｄに入力する。よって、ＯＲ回路３０ｄは、論理レベルが「０」の信号（出力＃１）が入力されているので、第２の半波整流信号をそのままマイコン１３に出力する（合成出力）。したがって、インターフェース回路１２は、上位装置２が電圧が負の範囲で変化する単極信号を制御信号として送信した場合であっても、マイコン１３において制御内容を識別可能な制御信号をマイコン１３に出力することができる。
【００３５】
［マイコン１３］
図２に戻って説明を続ける。マイコン１３は、予め用意されたプログラムを実行することで、所定の機能を発揮するマイクロコントローラであり、例えば、ＡＳＩＣ（Application  Specific  Integrated  Circuit）やＦＰＧＡ（Field  Programmable  Gate  Array）等の集積回路により実現される。また、マイコン１３は、例えば、ＣＰＵ（Central  Processing  Unit）やＭＰＵ（Micro  Processing  Unit）等によって実現されてもよい。
【００３６】
ここで、マイコン１３は、予め用意されたプログラムを実行することで、以下の機能を発揮する。まず、マイコン１３は、インターフェース回路１２によって整流された信号を受信する。かかる場合、マイコン１３は、整流された信号を用いて、上位装置２の制御方式を特定する。すなわち、マイコン１３は、電源制御部１０が受信した制御信号に対応する制御方式を特定する。そして、マイコン１３は、特定した制御方式にそって、受信した信号が示す制御内容を導出し、導出した制御内容の実行指示を制御回路１４に出力する。
【００３７】
以下、図８を用いて、マイコン１３が有する機能構成の一例について説明する。図８は、第１の実施形態に係るマイコンが有する機能構成を説明する図である。図８に示す例では、マイコン１３は、受信部１６、特定部１７、複数の制御部１８〜２０を有する。
【００３８】
受信部１６は、インターフェース回路１２から半波整流された制御信号（第１の半波整流信号、第２の半波整流信号）を受信する。例えば、受信部１６は、インターフェース回路１２から制御信号を受信すると、受信した制御信号のうち、制御内容を識別するのに適した制御信号を選択する。
【００３９】
ここで、受信部１６は、照明装置５の設置後、初めて制御信号を受信した場合等、特定部１７から制御部の指定を受信していない場合は、インターフェース回路１２から受信した制御信号を所定の時間間隔分だけ特定部１７に出力する。なお、このような場合に、制御方式が複極信号で制御信号が送信される所定の制御方式であるときには、インターフェース回路１２から特定部１７には、上述した待機制御信号が半波整流された第１の半波整流信号が出力される。そして、受信部１６は、制御部１８〜２０のうち、制御信号の出力先となる制御部の指示を特定部１７から受信した場合は、その後インターフェース回路１２から受信した制御信号を特定部１７から指定された制御部へ送信する。
【００４０】
特定部１７は、照明装置５が受信した制御信号に対応する制御方式を特定する。例えば、特定部１７は、受信部１６が出力した信号を所定の時間間隔分受信する。そして、特定部１７は、受信した信号の周波数に基づいて、照明装置５が受信した制御信号に対応する制御方式を特定する。
【００４１】
以下、特定部１７が実行する処理の一例として、照明装置５が受信した制御信号に対応する制御方式が、ＤＡＬＩであるか、ＰＷＭであるか、所定の制御方式であるか、つまりＤＡＬＩ、ＰＷＭ以外の制御方式であるかを判定する処理の一例について説明する。なお、実施形態は、これに限定されるものではなく、特定部１７は、制御信号の特性に応じて、照明装置５が受信した制御信号に対応する制御方式を特定すればよい。
【００４２】
まず、特定部１７は、受信した信号の周波数が２．４ｋＨｚ以上または１００Ｈｚ未満の周波数であるか否かを判定する。特定部１７は、受信した信号の周波数が２．４ｋＨｚ以上または１００Ｈｚ未満の周波数であると判定した場合には、照明装置５が受信した制御信号に対応する制御方式を、ＤＡＬＩ、ＰＷＭ以外の所定の制御方式として特定する。
【００４３】
一方、特定部１７は、受信した信号の周波数が２．４ｋＨｚ以上または１００Ｈｚ未満の周波数でないと判定した場合には、受信した信号の周波数が１００Ｈｚ以上１ｋＨｚ以下の範囲内の周波数であるか否かを判定する。特定部１７は、受信した信号の周波数が１００Ｈｚ以上１ｋＨｚ以下の範囲内の周波数であると判定した場合には、照明装置５が受信した制御信号に対応する制御方式を、ＰＷＭとして特定する。
【００４４】
一方、特定部１７は、受信した信号の周波数が１００Ｈｚ以上１ｋＨｚ以下の範囲内の周波数でないと判定した場合には、受信した信号の周波数が１．２ｋＨｚ以上２．４ｋＨｚ未満の範囲内の周波数であるか否かを判定する。特定部１７は、受信した信号の周波数が１．２ｋＨｚ以上２．４ｋＨｚ未満の範囲内の周波数であると判定した場合には、照明装置５が受信した制御信号に対応する制御方式を、ＤＡＬＩとして特定する。
【００４５】
また、特定部１７は、特定した制御方式にそって、制御信号から制御内容を導出し、導出した内容の制御をＬＥＤ９に対して行う制御部、すなわち、特定した制御方式に対応する制御部を受信部１６に指示する。例えば、特定部１７は、制御部１８が所定の制御方式に対応し、制御部１９がＤＡＬＩに対応し、制御部２０がＰＷＭに対応する旨をあらかじめ記憶する。そして、特定部１７は、特定した制御方式が所定の制御方式である場合は、受信部１６に制御部１８を通知し、特定した制御方式がＤＡＬＩである場合は、受信部１６に制御部１９を通知し、特定した制御方式がＰＷＭである場合は、受信部１６に制御部２０を通知する。
【００４６】
制御部１８〜２０は、それぞれ異なる制御方式にそって、制御信号から制御内容を導出し、導出した内容の制御をＬＥＤ９に対して実行する。例えば、制御部１８は、所定の制御方式に対応する制御部であり、半波整流された制御信号を受信した場合は、受信した制御信号が示す制御内容を所定の制御方式の規約にそって導出し、導出した制御内容を反映させるよう制御回路１４に指示する。また、制御部１９は、ＤＡＬＩに対応する制御部であり、半波整流された制御信号を受信した場合は、受信した制御信号が示す制御内容をＤＡＬＩの規約にそって導出し、導出した制御内容を反映させるよう制御回路１４に指示する。また、制御部２０は、ＰＷＭに対応する制御部であり、半波整流された制御信号を受信した場合は、受信した制御信号が示す制御内容をＰＷＭの規約にそって導出し、導出した制御内容を反映させるよう制御回路１４に指示する。
【００４７】
［制御回路１４］
図２に戻り、説明を続ける。制御回路１４は、マイコン１３が制御信号から特定した制御内容をＬＥＤ９に反映させる。例えば、制御回路１４は、ＬＥＤ９の点灯、消灯、照度の変更、光の色の変更等の制御内容をマイコン１３から受信した場合は、受信した制御内容を反映させるよう電源回路１１を制御することで、ＬＥＤ９に制御内容を反映させる。
【００４８】
［照明装置５による処理の手順］
次に、図９を用いて、照明装置５が受信した制御信号から、かかる制御信号に対応する制御方式を特定し、特定した制御方式でＬＥＤ９を制御する処理の流れについて説明する。図９は、第１の実施形態に係る照明装置５が実行する処理の手順を示すフローチャートである。図９に示すように、受信部１６は、インターフェース回路１２から受信した制御信号を所定の時間間隔分だけ特定部１７に出力する（ステップＳ１０１）。
【００４９】
そして、特定部１７は、受信部１６が出力した信号を所定の時間間隔分受信する。そして、特定部１７は、受信した信号の周波数が２．４ｋＨｚ以上または１００Ｈｚ未満の周波数であるか否かを判定する（ステップＳ１０２）。特定部１７は、受信した信号の周波数が２．４ｋＨｚ以上または１００Ｈｚ未満の周波数であると判定した場合（ステップＳ１０２；Ｙｅｓ）には、照明装置５が受信した制御信号に対応する制御方式を、所定の制御方式として特定する（ステップＳ１０３）。そして、特定部１７は、特定した制御方式が所定の制御方式であるので、受信部１６に制御部１８を通知する（ステップＳ１０４）。受信部１６は、制御部１８が通知されると、その後インターフェース回路１２から受信した制御信号を制御部１８へ送信する（ステップＳ１０５）。制御部１８は、制御信号を受信すると、受信した制御信号が示す制御内容を所定の制御方式の規約にそって導出し、導出した制御内容を反映させるよう制御回路１４に指示する（ステップＳ１０６）。制御回路１４は、ＬＥＤ９に制御内容を反映させ（ステップＳ１０７）、処理を終了する。
【００５０】
一方、特定部１７は、受信した信号の周波数が２．４ｋＨｚ以上の周波数でなく、かつ、１００Ｈｚ未満の周波数でないと判定した場合（ステップＳ１０２；Ｎｏ）には、受信した信号の周波数が１００Ｈｚ以上１ｋＨｚ以下の範囲内の周波数であるか否かを判定する（ステップＳ１０８）。特定部１７は、受信した信号の周波数が１００Ｈｚ以上１ｋＨｚ以下の範囲内の周波数であると判定した場合（ステップＳ１０８；Ｙｅｓ）には、照明装置５が受信した制御信号に対応する制御方式を、ＰＷＭとして特定する（ステップＳ１０９）。そして、特定部１７は、特定した制御方式がＰＷＭであるので、受信部１６に制御部１９を通知する（ステップＳ１１０）。受信部１６は、制御部１９が通知されると、その後インターフェース回路１２から受信した制御信号を制御部１９へ送信する（ステップＳ１１１）。制御部１９は、制御信号を受信すると、受信した制御信号が示す制御内容をＰＷＭの規約にそって導出し、導出した制御内容を反映させるよう制御回路１４に指示する（ステップＳ１１２）。制御回路１４は、ＬＥＤ９に制御内容を反映させ（ステップＳ１１３）、処理を終了する。
【００５１】
一方、特定部１７は、受信した信号の周波数が１００Ｈｚ以上１ｋＨｚ以下の範囲内の周波数でないと判定した場合（ステップＳ１０８；Ｎｏ）には、受信した信号の周波数が１．２ｋＨｚ以上２．４ｋＨｚ未満の範囲内の周波数であるか否かを判定する（ステップＳ１１４）。特定部１７は、受信した信号の周波数が１．２ｋＨｚ以上２．４ｋＨｚ未満の範囲内の周波数でないと判定した場合（ステップＳ１１４；Ｎｏ）には、処理を終了する。また、特定部１７は、受信した信号の周波数が１．２ｋＨｚ以上２．４ｋＨｚ未満の範囲内の周波数であると判定した場合（ステップＳ１１４；Ｙｅｓ）には、照明装置５が受信した制御信号に対応する制御方式を、ＤＡＬＩとして特定する（ステップＳ１１５）。そして、特定部１７は、特定した制御方式がＤＡＬＩであるので、受信部１６に制御部２０を通知する（ステップＳ１１６）。受信部１６は、制御部２０が通知されると、その後インターフェース回路１２から受信した制御信号を制御部２０へ送信する（ステップＳ１１７）。制御部２０は、制御信号を受信すると、受信した制御信号が示す制御内容をＤＡＬＩの規約にそって導出し、導出した制御内容を反映させるよう制御回路１４に指示する（ステップＳ１１８）。制御回路１４は、ＬＥＤ９に制御内容を反映させ（ステップＳ１１９）、処理を終了する。
【００５２】
［第１の実施形態の効果］
上述したように、照明装置５は、制御信号に対して、正の極性で半波整流して第１の半波整流信号を出力するとともに、負の極性で半波整流して第２の半波整流信号を出力する整流部１５を具備する。また、照明装置５は、第１の半波整流信号及び第２の半波整流信号のうち、特定の半波整流信号（第１の半波整流信号）がパルスを有する場合には特定の半波整流信号に基づいて、ＬＥＤ９を制御するとともに、特定の半波整流信号がパルスを有せず、かつ、特定の半波整流信号とは異なる半波整流信号（第２の半波整流信号）がパルスを有する場合には、パルスを有する半波整流信号に基づいて、ＬＥＤ９を制御する制御部１８〜２０を具備する。これにより、照明装置５は、複極信号または単極信号が制御信号として入力された場合であっても、制御内容を識別することができる半波整流信号に基づいて、ＬＥＤ９を制御する。したがって、照明装置５は、複数種別の制御方式に対応できる。また、照明装置５のマイコン１３では、処理する半波整流信号が１系統ですむ。
【００５３】
また、照明装置５は、所定の制御方式における待機制御信号の周波数を２．４ｋＨｚ以上または１００Ｈｚ未満（もしくは１００Ｈｚ以下）とする。そして、照明装置５は、待機制御信号および制御信号の周波数の値に応じて、所定の制御方式、ＰＷＭ及びＤＡＬＩの中から、照明装置５が受信した制御信号に対応する制御方式を特定する。したがって、照明装置５は、周波数に応じて制御方式を特定することができる。
【００５４】
上述してきた照明システム１は、上記実施形態以外にも種々の異なる形態にて実施されてよい。そこで、以下では、上記の照明システム１の様々な変形例について説明する。
【００５５】
［第１の実施形態の変形例］
例えば、第１の実施形態では、所定の制御方式における待機制御信号の周波数を２．４ｋＨｚ以上または１００Ｈｚ未満（もしくは１００Ｈｚ以下）とした上で、照明装置５が、待機制御信号および制御信号の周波数の値に応じて、所定の制御方式、ＰＷＭ及びＤＡＬＩの中から、照明装置５が受信した制御信号に対応する制御方式を特定する場合について説明した。しかしながら、照明装置５は、他の方法でも複数の制御方式の中から、制御信号に対応する制御方式を特定することができる。
【００５６】
ここで、所定の制御方式の通常の待機制御信号（周波数０．９ｋＨｚ以上１．３ｋＨｚ以下）を半波整流した半波整流信号と、ＰＷＭの制御信号（周波数１ｋＨｚ、オンデューティ１０％）を半波整流した半波整流信号とでは、見かけ上、ほぼ同一の波形となり、半波整流信号から所定の制御方式とＰＷＭとを判別するのは困難である。そこで、例えば、パルスの周期が一定であるＰＷＭなどの制御信号と区別が付くように、図１０に示すように、待機制御信号のパルスの周期をＴ１（例えば、０．００２秒）、Ｔ２（例えば、０．００１秒）として異ならせて、待機制御信号のパルスの周期を不定とすることができる。この場合、特定部１７は、受信部１６から出力された信号のパルスの周期が不定である場合には、この信号に対応する制御方式を、所定の制御方式として特定し、受信部１６から出力された信号のパルスの周期が一定である場合には、この信号に対応する制御方式を、ＰＷＭやその他の制御信号のパルスの周期が一定であることが既知の制御方式として特定する。なお、図１０は、第１の実施形態の変形例について説明するための図である。
【００５７】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００５８】
２        上位装置
５        照明装置
９        ＬＥＤ
１０      電源制御部
１１      電源回路
１２      インターフェース回路
１３      マイコン
１４      制御回路
１６      受信部
１７      特定部
１８、１９、２０  制御部
３０ａ    積分回路
３０ｂ    インバータ
３０ｃ    ＡＮＤ回路
３０ｄ    ＯＲ回路
【図１】
2015185379.tif 000003
【図２】
2015185379.tif 000004
【図３】
2015185379.tif 000005
【図４】
2015185379.tif 000006
【図５】
2015185379.tif 000007
【図６】
2015185379.tif 000008
【図７】
2015185379.tif 000009
【図８】
2015185379.tif 000010
【図９】
2015185379.tif 000011
【図１０】
2015185379.tif 000012